(57)【特許請求の範囲】
【請求項１】
床用吸込具と、該床用吸込具と連通する集塵室及び電動送風機を収納する掃除機本体とを備え、
前記掃除機本体の底面に設けられ前記電動送風機からの排気を床面側に排出する排気口と、
該排気口を覆うように配設され、前記排気口に接続される入口及び排出用の出口を有する袋状のエアクッションと、
該エアクッションの下面に設けられ前記エアクッションを前記本体の底面に収納固定するとともに前記エアクッションを保護する固定板と、
前記エアクッションの前記出口と前記床用吸込具とを接続する接続部材と、
を備えたことを特徴とする電気掃除機。
【請求項２】
エアクッションを風船状に形成したことを特徴とする請求項１記載の電気掃除機。
【請求項３】
エアクッションを蛇腹状形状としたことを特徴とする請求項１記載の電気掃除機。
【請求項４】
エアクッションの下方に、走行車輪を設けたことを特徴とする請求項１乃至３のいずれかに記載の電気掃除機。
【請求項５】
床用吸込具と、該床用吸込具と連通する集塵室及び電動送風機を収納する掃除機本体とを備え、
前記掃除機本体の底面に設けられ前記電動送風機からの排気を床面側に排出する排気口と、
該排気口の下方に両端が回転可能に支持され、前記排気口に接続部材を介して接続される入口及び排出用の出口を有する円筒形状のエア車輪と、
該エア車輪の前記出口と前記床用吸込具とを接続する接続部材と、
を備えたことを特徴とする電気掃除機。
【請求項６】
エアクッションまたはエア車輪を通気性の材料で形成したことを特徴とする請求項１乃至請求項５のいずれかに記載の電気掃除機。
【請求項７】
排気の温度を検出する温度センサーまたは排気の圧力を検出する圧力センサーと、
前記温度センサーまたは前記圧力センサーにより検出された排気の温度または圧力により掃除機本体の内外を開閉する開閉弁体と、
を備えたことを特徴とする請求項１乃至請求項６のいずれかに記載の電気掃除機。
【請求項８】
床用吸込具に送出する排気を、総排気量の３０〜６０％としたことを特徴とする請求項１乃至請求項７のいずれかに記載の電気掃除機。
【発明の詳細な説明】
【０００１】
【発明の属する技術分野】
本発明は、電動送風機からの排気圧力を掃除機本体の下部より排出し、この排気圧力を利用して掃除機本体に浮上力を与えると共に、床用吸込具を介して排気を床面に吹き付けるようにする電気掃除機に関する。
【０００２】
【従来の技術】
従来、排気圧力を利用して、掃除機本体に浮上力を与えたり、床面に吹き付けたりして、走行性や吸塵性をそれぞれ改善した電気掃除機が発明されていたが、いずれも課題が生じていた。
図２１は、例えば特開平６−１３３９００号公報に示された従来の電気掃除機を示す断面図であり、他の例としては、図２２に示す実開昭５８−１６０５５７号公報がある。
以下に前記の公報について、個々に説明する。
【０００３】
特開平６−１３３９００号公報（以下、従来技術１と称す）を図２１に基づいて説明する。
９４は電気掃除機本体で、集塵室９５と電動送風機９６を内蔵している。９７は電動送風機９６近傍に形成された排気口、９８は排気口４を覆うように掃除機本体１の底面６に形成されたスカート、７は排気口９７とスカート９８により連通する排気中間口、１０１は掃除機本体１の後面に形成された排出口である。Ｆは床面である。
このように構成されているので、電動送風機９６からの排気は床面Ｆに直接衝突して、その排気圧により、電気掃除機本体９４を床面から浮上させる。その後、排気はスカート９８により排気中間口１００を通過して、排出口１０１より掃除機本体９４外に、排出される。
【０００４】
この結果、電動送風機９６を回転することで、排気圧により掃除機本体９４が床面Ｆより浮上するので、床面Ｆと掃除機本体９４との摩擦抵抗が減少して電気掃除機本体９４の引き回し労力が少なく操作が楽になる。
【０００５】
次に、実開昭５８−１６０５５７号公報（以下、従来技術２と称す）について、図２２により説明する。
９１電動送風機（図示せず）の排気を吸込具９２の吸気口９３近傍に、排出させる風路体で、９２は風路体９１の排気口である。Ｄは床面Ｆ上の塵埃である。
このように構成されているので、塵埃Ｄは前記排気により床面Ｆより飛ばされて、吸気口９３より、吸引されていく。この結果、床面Ｆにこびりついたような塵埃Ｄでも、排気圧力により確実に吹き飛ばされるので、効率良く吸引される。
【０００６】
【発明が解決しようとする課題】
上記のような、従来技術１と従来技術２においては、次のような課題が生じる。従来技術１において、排気力は掃除機本体を床面から浮上させるが、床面に堆積する塵埃の掃除機本体への吸引には、なんら寄与しない。
また、従来技術２において、排気は床面に堆積する塵埃を移動させることで吸引性能を向上させるが、掃除機本体より空中に放出されるのみであり、掃除機本体の移動等の操作性には、なんら寄与しない。
【０００７】
本発明は、上述のような課題を解決するためになされたもので、排気を利用して移動をし易くし、また、排気を掃除機本体より床面に衝突させて掃除機本体を浮上させ、さらに床用吸込具より床面に堆積する塵埃に衝突させて、塵埃を床面から浮上させる。この結果、電動送風機からの排気が、掃除機本体の移動性及び吸引性能の向上を行えることのできる電気掃除機を得ることを目的とするものである。
【０００８】
【課題を解決するための手段】
本発明に係る電気掃除機は、床用吸込具と、該床用吸込具と連通する集塵室及び電動送風機を収納する掃除機本体とを備え、前記掃除機本体の底面に設けられ前記電動送風機からの排気を床面側に排出する排気口と、該排気口を覆うように配設され、前記排気口に接続される入口及び排出用の出口を有する袋状のエアクッションと、該エアクッションの下面に設けられ前記エアクッションを前記本体の底面に収納固定するとともに前記エアクッションを保護する固定板と、前記エアクッションの前記出口と前記床用吸込具とを接続する接続部材と、を備えたものである。
【０００９】
また、エアクッションを風船状に形成したものである。
【００１０】
また、エアクッションを蛇腹状形状としたものである。
【００１１】
また、エアクッションの下方に、走行車輪を設けたものである。
【００１２】
また、床用吸込具と、該床用吸込具と連通する集塵室及び電動送風機を収納する掃除機本体とを備え、前記掃除機本体の底面に設けられ前記電動送風機からの排気を床面側に排出する排気口と、該排気口の下方に両端が回転可能に支持され、前記排気口に接続部材を介して接続される入口及び排出用の出口を有する円筒形状のエア車輪と、該エア車輪の前記出口と前記床用吸込具とを接続する接続部材と、を備えたものである。
【００１３】
また、エアクッションまたはエア車輪を通気性の材料で形成したものである。
【００１５】
また、排気の温度を検出する温度センサーまたは排気の圧力を検出する圧力センサーと、この温度センサーまたは前記圧力センサーにより検出された排気の温度または圧力により掃除機本体の内外を開閉する開閉弁体と、を備える。
【００１６】
また、床用吸込具に送出する排気を、総排気量の３０〜６０％としたものである。
【００１７】
【発明の実施の形態】
実施の形態１．
図１は実施の形態１に係わる電気掃除機の外観図、図２は通電時の断面図、図３は背面図、図４は底面図、図５は非通電時の断面図である。
図において２０は掃除機本体で、前方に使い捨て集塵袋２１を収納する集塵室２２と後方に電動送風機２３を収納する電動機室２４と、その後方に排気室２５とにより構成されている。
【００１８】
２０ａは掃除の際、掃除機本体２０を保持するための操作用把手であり、掃除機本体２０の外底面には、凹部２６が有り、該凹部２６は、集塵室２２の下方に有する接続部材収納部２７と排気室２５の下方に有する排風部２８とにより形成されている。２９は排気室２５に形成された外気と連通するための連通口で、該連通口２９の外面には電動送風機２３からの排気が、所定温度あるいは所定圧力になった時に連通口２９を開口する（図において点線の如く変形）開閉弁体３０が取付けられている。
【００１９】
３１は排気室２５の下面に設けられ排風部２８と連通する排気口、３２は排風部２８に収納され、通気性材料より袋状に構成された柔軟性のエアクッションで、排気口３１を覆うよう固着された入口３３と出口３４を有している。３５は出口３４近傍に設けら、排気が入口３１から出口３４に向けて最短距離を流れて、袋状のエアクッション３２が所定の膨らみを得られないのを防止するための排気遮断用の柔軟性を有する邪魔シートであり、排気圧によりエアクッション３２の内面に密着して出口３４を塞がないようにするための突起３５Ａが出口３４近傍に複数形成されている。３６は、掃除機本体２０の未使用時、エアクッション３２を排風部２８に収納固定するための固定板で、エアクッション３２より硬い材質で、かつ耐磨耗性材質で滑り易い構成されている。
【００２０】
３７は横長で略矩形に構成された床用吸込具で、底面に吸い込み部３８と該吸い込み部３８の周囲を覆う軟質材より構成された一端が床面Ｆに略接触するバンパー３９と、一端が吸い込み部３８に他端が集塵室２２に連通する吸い込み管４０より構成されている。４０ａは、吸い込み管４０の吸い込み部３８側の吸込口である。４１は吸い込み部３８の前面に有する前排気口４２と後面に有する後排気口４３を結ぶ連通路である。
４４は、一端が連通路４１に他端が出口３４にそれぞれ着脱自在に設けられた屈曲自在で軟質材で構成された接続部材であり、そのほとんどが凹部２６に収納されていて連通路４１とエアクッション３２を連通している。
なお、連通路に４１に接続される接続部材４４の端部は、電動送風機２３の排気が、主に前排気口４２側に流れ込むように、前排気口４２に向けて取付けられている。
【００２１】
次に、動作について図２、図５により説明する。まず、高速回転する電動送風機２３の回転に伴ない矢印に示すように、空気の移動が始り、集塵室２２からの空気は電動送風機２３を通過して高圧排気となり排気室２５に入り、排気口３１よりエアクッション３２に入り込み、エアクッション３２を風船のようにふくらませて掃除機本体２０を床面Ｆから上方に移動させる。
【００２２】
なお、排気の速度は、通過する排気口３１の体積より大きい体積のエアクッション３２に入り込むことで急速に低速となり、エアクッション３２を十分に膨らませる。
この時、邪魔シート３５も排気により出口３４側に移動させられ、突起３５Ａがエアクッション３２の内壁との間に隙間を確保して、出口３４の閉口を防ぎ、排気が出口３４から直接出ることを防止して、排気が邪魔シート３５を迂回して前記隙間を通り出口３４に向かう。
【００２３】
排気は出口３４より接続部材４４を通過して、床用吸込具３７の連通路４１に入る。排気の大半は前排気口４２により床面Ｆに略直角に衝突して、床面Ｆ上の塵埃を舞い上げ吸い込み部３８から吸込口４０ａに塵埃と共に強制移動する。この時。後排気口４３からの排気も床面Ｆ上の塵埃と共に吸い込み部３８から吸込口４０ａに入り込む。
そして、吸込口４０ａに入り込んだ塵挨を含んだ排気は吸気となり、吸い込み管４０内を移動して、集塵室２２内に入り集塵袋２１に塵挨のみ捕獲され、清浄空気のみ電動送風機２３に吸引されていく。
【００２４】
以上の動作を繰返すと循環空気は電動送風機２３の消費電力により、高温となるが、開閉弁体３０が所定の温度をキャッチして排気を本体２０外に排出させる。この結果、排出された量の外気が床用吸込具３７に取付けられたバンパー３９の変形により生じる、床面Ｆとの隙間より吸引され、温度低下を図る。さらに、集塵袋２１の目詰まり等により排気温度が高くなった場合も同様に開閉弁体３０が開口して、床用吸込具３７より外気が侵入して温度上昇を防止する。
【００２５】
なお、エアクッション３２を通気性材料で構成することで、排気の一部がエアクッション３２の側面から排出される。その結果常時排気の一部は外部に排出されるので、吸込具３７より新鮮な空気が掃除機本体２０に入り込み高温化を防止する。さらに、掃除機本体２０内部が異常高温になる場合は、開閉弁体３０が温度をキャッチして排気を本体２０外に排出させる。
【００２６】
電気掃除機を移動するときは、段差のある場所でも、エアクッション３２の側面が柔らかく自由に変形し、電気掃除機の移動がスムーズに行われる。また、エアクッション３２の底面は、高硬度で、かつ耐磨耗性材質で滑り易い固定板３６としたのでエアクッション３２を保護するとともに、移動し易い。
【００２７】
また、エアクッション３２は掃除機本体２０の後方に設け、さらに、図２に示すように、重心Ｗ１がＷ２に移動するように、エアクッション３２の高さＬを大きくすることで、掃除中に吸込具３７側に荷重が加わるので床面Ｆと吸込具３７が確実に接触するので、集塵効率が向上する。
【００２８】
そして、使用後の非通電時は図５に示すようにエアクッション３２は中の排気を排出させてしぼませ固定板３６で排風部２８に固定し収納する。
【００２９】
以上のように構成したので、段差移動をし易くし、塵埃を床面から浮上させ吸引性能を向上させることがで、また、収納時コンパクトにまとめることができ、排気の温度上昇を防ぐことができる。
【００３０】
なお、上記実施の形態は、排気が高温となった場合、開閉弁体３０により排気を本体２０外に排出させるが、床用吸込具に送出する排気を、総排気量の３０〜６０％とすれば、異常高温を避けることができる。
【００３１】
また、エアクッション３２の側面の全長または一部を上下方向に伸縮する蛇腹状に形成し、使用後には上方向に押し上げて収縮させ、排風部２８に固定板３６を固定しないで排風部２８内に収納してもよい。
また、固定板３６に排気が排出される排出孔を多数設け、この排気孔から排出される排気により、掃除機本体２０を浮上させ移動をし易くしてもよい。
【００３２】
また、把手２０ａを下方に押して排風部３２を収縮させると電動送風機２３からの排気とは別に収縮させた分の排気力が前排気後４２、後排気口４３に加わり、塵埃の集塵性能を向上させる。
【００３３】
また、図６に示すように、接続部材４４を取り外して、使用してもよい。この場合、吸い上げ部３８は外気より負圧となっているため、連通路４１に設けられ接続部材４４を接続する接続孔４５から外気が入り込み、前排気口４２、後排気口４３から、排気の大半は前排気口４２から床面Ｆに略直角に衝突して、床面Ｆ上の塵埃を舞い上げ、吸い込み部３８から吸込口４０ａに塵埃と共に吸引される。エアクッション３２の出口３４からの排出量が少し多くなるが、送風電動機２４の排気量が多いのでふくらんだままである。
【００３４】
さらに、図７に示すように、接続部材４４を、連通路４１に設けられた接続孔４５からだけ外し、この外した方の接続部材４４の出口部４４ａから排出される排気を塵埃に吹き付けて塵埃を飛ばし、床吸い込み具３７の吸込口４０ａから吸引させてもよい。この場合、狭い所の塵埃も吹き飛ばせるので、集塵性能を向上させることができる。
【００３５】
実施の形態２．
図８は本発明の実施の形態２に係る電気掃除機通電時の断面図、図９は底面図である。図において実施の形態１で示した図２と同一または相当部分には、同じ符号を付し、説明を省略する。
【００３６】
８１は排気室２５の底面と固定板８４の間に伸縮自在に取り付けられた第１の蛇腹、８２は第１の蛇腹８１の外側に第１の蛇腹８１と間隙を設け、排気室２５の底面と固定板８４の間に伸縮自在に取り付けられた第２の蛇腹、８３は第２の蛇腹８２の側面に設けられ、接続部材４４に接続される接続部、８５は第１の蛇腹８の内側で、固定板８４に設けられた排出口、８６は第１、第２の蛇腹の間で、固定板８４に設けられた複数の吸入口である。
【００３７】
８７は吸入口８６を外側にして固定板８４に設けられた柔軟性のある第１のスカート、８８は第１のスカート８７の外側で、吸入口８６を外側から取り囲むようにして固定板８４に設けられた柔軟性のある第２のスカートであり、第１のスカート８７は第２のスカート８８よりｈだけ短くしている。
【００３８】
次に、動作について図８により説明する。まず、電動送風機２３の回転に伴ない矢印に示すように、空気の移動が始り、集塵室２２からの空気は電動送風機２３を通過して高圧排気となり排気室２５に入り、排気口３１より第１の蛇腹８１内に入り込み、第１の蛇腹８１を伸長させ固定板８４を排気部２８から押し出す。このとき第２の蛇腹８２も伸長する。
【００３９】
次に、排気は排気口８５から床面Ｆに向けて排出され、第１スカート８７に排気が当たり、第１のスカート８７と固定板８４及び床面Ｆに囲まれた空間に圧力が生じ、掃除機本体２０を持ち上げ、排気が第１のスカート８７と床面Ｆの間から流出する。このとき、第２のスカート８８は第１のスカート８７よりｈだけ長いので、第１のスカート８７から流出した排気は、外部に排気されず、第１、第２のスカート８７、８８の間に入り込み、排気口８６を通過し、さらに、第１、第２の蛇腹８１、８２の間の間隙に流入する。
【００４０】
そして、接続部８３から接続部材４４に流入し、床用吸込具３７の連通路４１に入る。排気の大半は前排気口４２により床面Ｆに略直角に衝突して、床面Ｆ上の塵埃を舞い上げ吸い込み部３８から吸込口４０ａに塵埃と共に強制移動する。この時、後排気口４３からの排気も床面Ｆ上の塵埃と共に吸い込み部３８から吸込口４０ａに入り込む。吸込みロ４０ａに入り込んだ塵挨を含んだ排気は吸気となり、吸い込み管４０内を移動して、集塵室２２内に入り集塵袋２１に塵挨のみ捕獲され、清浄空気のみ電動送風機２３に吸引されていく。
【００４１】
そして、使用後の非通電時は、第１、第２の蛇腹８１、８２を各々の排気を排出させて収縮させ固定板８４排風部２８に固定し収納する。
【００４２】
以上のように構成したので、段差移動をよりし易くし、塵埃を床面から浮上させ吸引性能を向上させることがで、また、収納時コンパクトにまとめることができる。
【００４３】
実施の形態３．
本実施の形態は実施の形態１のエアクッションを回転できるようにしたものである。図１０は本発明の実施の形態３に係る電気掃除機通電時の断面図、図１１は図１０の部分斜視図、図１２は図１１の断面図、図１３は非通電時の状態を示す断面図である。
【００４４】
図において実施の形態１で示した図２と同一または相当部分には、同じ符号を付し、説明を省略する。５１は、両端にそれぞれ回転軸受５１ａを有し、円筒形状の袋状に構成され、柔軟性がある通気性材料より形成されたエア車輪、５２はエア車輪５１の両端の軸受５１ａをそれぞれ支持する支持部５２ａ並びに排気エア入口接続ホース５３の一端または排気エア出口接続ホース５４の一端を取り付ける接続部材取付部５２ｂを有する一対のアームであり、接続部材取付部５２ｂの反対側の開口部５２ｃ、排風部の上面パネルに回転自在に支持される穴５２ｄが設けられている。そして、開口部５２ｃはエア車輪５１の両側にそれぞれ取り付けた場合、対向しないように、それぞれの開口部５２ｃをエア車輪５１の円周方向に向けておく。
なお、排気入口接続部材５３、排気出口接続部材５４は柔軟性のある材料で形成されたものである。
【００４５】
５５は一対のアーム５２を連結する連結棒、５６は連結棒５５と排風部２８の上面との間に接続されたバネである。５７は排気室２５の下面に設けられ排気入口接続部材５３が接続される排気入口部である。そして、排気出口接続部材５４は接続部材４４に接続される。
【００４６】
次に、動作について図１０〜図１３により説明する。まず、バネ５６のバネ力に抗してアーム５２を下方に押し下げロック手段（図示せず）によりロックする。そして、電源を入れると電動送風機２３の回転に伴ない矢印に示すように、空気の移動が始り、集塵室２２からの空気は電動送風機２３を通過して高圧排気となり排気室２５に入り、排気入口部５７に接続された排気入口接続部材５３を介してエア車輪５１に入り込み、エア車輪を５１を風船のようにふくらませて掃除機本体２０を床面Ｆから上方に移動させる。
【００４７】
なお、排気の速度は、通過する排気入口部５７の体積より大きい体積のエア車輪５１に入り込むことで急速に低速となり、エア車輪５１十分に膨らませる。このとき、開口部５２ｃはエア車輪５１の両側にそれぞれ取り付けた場合、対向しないように、それぞれの開口部５２ｃをエア車輪５１の円周方向に向けあるので、排気入口部５７から流入した排気が排気出口接続部５４から直接出ることはなく、エア車輪５１をふくらませて排気が排気出口接続部５４に流入し、接続部材４４を通過して、床用吸込具３７の連通路４１に入る。排気の大半は前排気口４２により床面Ｆに略直角に衝突して、床面Ｆ上の塵埃を舞い上げ吸い込み部３８から吸込口４０ａに塵埃と共に強制移動する。この時。後排気口４３からの排気も床面Ｆ上の塵埃と共に吸い込み部３８から吸込口４０ａに入り込む。
【００４８】
電気掃除機を移動するときは、段差のある場所でも、エア車輪５１が自由に変形するとともに回転しながら電気掃除機の移動がスムーズに行われる。
そして、使用後の非通電時は図１３に示すようにエア車輪５１は中の排気を排出させ、しぼませるとともにアーム５２をロック（図示せず）から外せば、バネ５６により排風部２８に引き込まれて収納される。
【００４９】
以上のように構成したので、段差移動をし易くし、塵埃を床面から浮上させ吸引性能を向上させることがで、また、収納時コンパクトにまとめることができる。
【００５０】
なお、図１４に示すように、実施の形態１で示したエアクッション３２に、軸受けを有する固定板６１を取付け、車輪６１をつけてもよい。なお、点線は排風部２８に収納した場合を示す。
【００５１】
実施の形態４．
図１５は実施の形態４に係わるステイックタイプの電気掃除機の外観図、図１６は要部断面図である。図において、７１は掃除機本体、３７は床用吸込具、７２はハンドル、７３はエアクッション、７４は排気入口接続部材、７５はエアクッション７３と床用吸い込み具３７とを接続する柔軟性のある接続部材、７６はエアクッション７３の下部に取り付けられた車輪である。
【００５２】
掃除機本体１は、実施の形態１の図２に示したものと同様な構成であり、集塵室、電動機室、排気室を備えており、床用吸込具３７は、実施の形態１と同じである。エアクッション７３はエアクッション３２に代えたものであり、材質はエアクッション３２と同じ通気性材料で柔軟性のあるものである。形状はエアクッション３２に比べ上下方向の高さが高く、細長く、蛇腹形状に形成しものである。
排気入口接続部材７４は柔軟性があり、一端が排気室に接続され他端はエアクッション７３の下方に配設されている。
【００５３】
次に、動作について図１５、図１６により説明する。まず、掃除機本体の電動送風機の回転に伴ない、空気の移動が始り、集塵室からの空気は高圧排気となり排気室２５に入り、排気入口接続部材７４を通過し、排気はエアクッション７３の下部から流入し、エアクッション７３をふくらませる。このとき、排気はエアクッション７３の下部から流入するので、排気が排気入口接続部材７４から接続部材７５に直接流入せずエアクッション７３を風船のようにふくらませて掃除機本体２０を床面Ｆから上方に移動させる。
【００５４】
そして、排気は接続部材７５を通過して、床用吸込具３７に入り、実施の形態１と同様に床面Ｆ上の塵埃を舞い上げて吸い込む。
【００５５】
以上は電動機からの排気による通常の動作であるが、図１５の点線で示したように、ハンドル７２を下方に力Ｗを加えてエアクッション７３を高さＬ〜ｌに収縮させると電動送風機からの排気とは別に収縮させた分の排気力が床用吸込具３７に入り、図２の前排気口４２、後排気口４３に加わり、塵埃の集塵性能を向上させる。
【００５６】
以上のように構成したので、従来のステイックタイプの掃除機は一般に重かったが、車輪７６を設けたエアクッション７３でも支持されるため、軽くなり、移動をし易くし、塵埃を床面から浮上させ吸引性能を向上させることができる。
【００５７】
実施の形態５．
図１７、図１８は実施の形態５に係わる電気掃除機の要部断面図である。図１７はエアクッション３２を使用する場合、図１８は使用しない場合を示し、図において４７は固定板３６に取り付けられ、開閉弁体３０とこの開閉弁体３０に連通する穴４７ａ及び別の穴４７ｂを有する弁取付板である。
【００５８】
この構成により、エアクッション３２を使用するときは図１７に示すように、エアクッション３２が排気でふくらむと穴４７ａは連通口２９に連通し、開閉弁を通して排気され、また、エアクッション３２からの排気は穴４７ｂからも排気される。そして、テレビ、机の上等の掃除をするときに、掃除機本体１を持ち上げて使用する場合にエアクッション３２を使用しないときは、図１８に示すように、エアクッション３２が収縮すると穴４７ｂが連通口２９に連通し、開閉弁体３０を通さずに排気され、排気効率がよくなり、排気の温度が上昇しないようにすることができる。
【００５９】
実施の形態６．
図１９は実施の形態６に係わる電気掃除機の要部断面図である。図において開閉弁体３０を電動送風機２３の上流側に配設したものであり、図において４８は把手２０ａに設けられ、開閉弁体３０がとりつけられる連通口である。この構成により、排気の温度上昇時に、電動送風機２３の上流から外気が入るため排気の温度上昇及び電動送風機２３の温度上昇を防ぐことができる。
【００６０】
実施の形態７．
図２０は実施の形態７に係わる電気掃除機の要部断面図である。図において開閉弁体３０を異常温度にならない程度に常時排気を少量出すように連通口２９との間に一定の間隙ｔを設けたものである。このとき排気として外に出る分は床吸込具３７のバンバー３９から外気が入り込み、排気を冷やす。さらに、４８は電動送風機２３のパワー切換スイッチであり、排気ガスの温度が温度センサー（図示せず）によりあらかじめ定めらあれた温度以上になったとき、パワーを低下させるか電源をＯＦＦとする。このように、排気の温度上昇及び電動送風機２３の温度上昇を防ぐことができる。
【００６１】
なお、４９はエアクッションであり、上記のエアクッション３２と比べ掃除機本体２０の底面部全体に配設されたもので、掃除機本体２０が重い場合に、排気が十分蓄えられ移動し易いようにしたものである。このようにすることで、体積が大きいので、外気との間で熱交換が大きくなり空冷効果が大きくなる。
【００６２】
【発明の効果】
以上のようにこの発明によれば、床用吸込具と、該床用吸込具と連通する集塵室及び電動送風機を収納する掃除機本体とを備え、前記掃除機本体の底面に設けられ前記電動送風機からの排気を床面側に排出する排気口と、該排気口を覆うように配設され、前記排気口に接続される入口及び排出用の出口を有する袋状のエアクッションと、該エアクッションの下面に設けられ前記エアクッションを前記本体の底面に収納固定するとともに前記エアクッションを保護する固定板と、前記エアクッションの前記出口と前記床用吸込具とを接続する接続部材と、を備えたので、掃除機本体の移動性及び吸引性能の向上を行うことができ、また、収納時コンパクトにまとめることができる。
【００６３】
また、エアクッションを風船状に形成したので、段差移動をし易くし、また、収納時コンパクトにまとめることができる。
【００６４】
また、エアクッションを蛇腹状形状としたので、把手を下方に押して排風部収縮させると電動送風機からの排気とは別に排気力が加わり、塵埃の集塵性能を向上させることができる。
【００６５】
また、 エアクッションの下方に、走行車輪を設けたので、掃除機本体の移動性及び吸引性能の向上をよりよく行うことができる。
【００６６】
また、床用吸込具と、該床用吸込具と連通する集塵室及び電動送風機を収納する掃除機本体とを備え、前記掃除機本体の底面に設けられ前記電動送風機からの排気を床面側に排出する排気口と、該排気口の下方に両端が回転可能に支持され、前記排気口に接続部材を介して接続される入口及び排出用の出口を有する円筒形状のエア車輪と、該エア車輪の前記出口と前記床用吸込具とを接続する接続部材と、を備えたので、掃除機本体の移動性及び吸引性能の向上をよりよく行うことができ、また、収納時コンパクトにまとめることができる。
【００６７】
また、エアクッションまたはエア車輪を通気性の材料で形成したので、外気との熱交換が行われ、異常高温となるのを防止することができる。
【００６９】
また、排気の温度を検出する温度センサーまたは排気の圧力を検出する圧力センサーと、この温度センサーまたは前記圧力センサーにより検出された排気の温度または圧力により掃除機本体の内外を開閉する開閉弁体と、を備えたので、排気の温度上昇及び電動送風機２３の温度上昇を防ぐことができる。
【００７０】
また、床用吸込具に送出する排気を、総排気量の３０〜６０％としたので、排気の温度上昇及び電動送風機２３の温度上昇を防ぐことができる。
【図面の簡単な説明】
【図１】  この発明の実施の形態１に係る電気掃除機の外観図である。
【図２】この発明の実施の形態１に係る電気掃除機の通電時の断面図である。
【図３】  この発明の実施の形態１に係る電気掃除機の背面である。
【図４】  この発明の実施の形態１に係る電気掃除機の底面図である。
【図５】  この発明の実施の形態１に係る電気掃除機の非通電時の断面図である。
【図６】  この発明の実施の形態１に係る電気掃除機の接続部材非装着時の断面図である。
【図７】  この発明の実施の形態１に係る電気掃除機の接続部材の使用時の断面図である。
【図８】  この発明の実施の形態２に係る電気掃除機の断面図である。
【図９】  この発明の実施の形態２に係る電気掃除機の底面図である。
【図１０】  この発明の実施の形態３に係る電気掃除機の通電時の断面図である。
【図１１】  この発明の実施の形態３に係る電気掃除機の要部斜視図である。
【図１２】  この発明の実施の形態３に係る電気掃除機の要部断面図である。
【図１３】  この発明の実施の形態３に係る電気掃除機の非通電時の断面図である。
【図１４】  この発明の実施の形態３に係る電気掃除機の背面図である。
【図１５】  この発明の実施の形態４に係る電気掃除機の外観図である。
【図１６】  この発明の実施の形態４に係る電気掃除機の要部断面図である。
【図１７】  この発明の実施の形態５に係る電気掃除機の要部断面図である。
【図１８】  この発明の実施の形態５に係る電気掃除機の要部断面図である。
【図１９】  この発明の実施の形態６に係る電気掃除機の要部断面図である。
【図２０】  この発明の実施の形態７に係る電気掃除機の要部断面図である。
【図２１】  従来の電気掃除機の断面図である。
【図２２】  従来の電気掃除機の断面図である。
【符号の説明】
２０  掃除機本体、２０ａ  把手、２３  電動送風機、２５  排気室、２８  排風部、３０  開閉弁体、３２  エアクッション、３６  固定板、３７  床用吸込具、３８  吸い込み部、３９  バンパー、４０ａ  吸込口、４４  接続部材、８１  第１の蛇腹、８２  第２の蛇腹、８７  第１のスカート、８８  第２のスカート、５１  エア車輪、４７  弁取付板、４８  パワー切換スイッチ。
【図１】
0003766921.tif 000002
【図２】
0003766921.tif 000003
【図３】
0003766921.tif 000004
【図４】
0003766921.tif 000005
【図５】
0003766921.tif 000006
【図６】
0003766921.tif 000007
【図７】
0003766921.tif 000008
【図８】
0003766921.tif 000009
【図９】
0003766921.tif 000010
【図１０】
0003766921.tif 000011
【図１１】
0003766921.tif 000012
【図１２】
0003766921.tif 000013
【図１３】
0003766921.tif 000014
【図１４】
0003766921.tif 000015
【図１５】
0003766921.tif 000016
【図１６】
0003766921.tif 000017
【図１７】
0003766921.tif 000018
【図１８】
0003766921.tif 000019
【図１９】
0003766921.tif 000020
【図２０】
0003766921.tif 000021
【図２１】
0003766921.tif 000022
【図２２】
0003766921.tif 000023